(57)【要約】【課題】芝生植生面に効率良く照明光を照射することができる芝生育成用照明装置を提供する。【解決手段】本発明の芝生育成用照明装置は、前後方向に沿って配置され、かつ下向きに灯具１１が装着されたメインフレーム１と、上端がメインフレーム１の前部に取り付けられ、かつ下端に前キャスター２５が設けられた左右一対の前脚フレーム２１と、上端がメインフレーム１の後部に取り付けられ、かつ下端に後キャスター３５が設けられた左右一対の後脚フレーム２１とを備える。一対の前脚フレーム２１間における灯具１１よりも下方側が下方に向けて開放されるとともに、一対の後脚フレーム３１間における灯具１１よりも下方側が下方に向けて開放されている。【選択図】図３
2019103438.tif 000002
【特許請求の範囲】
【請求項１】
前後方向に沿って配置され、かつ下向きに灯具が装着されたメインフレームと、
上端が前記メインフレームの前部に取り付けられ、かつ下端に前キャスターが設けられた左右一対の前脚フレームと、
上端が前記メインフレームの後部に取り付けられ、かつ下端に後キャスターが設けられた左右一対の後脚フレームとを備え、
前記一対の前脚フレーム間および前記一対の後脚フレーム間における前記灯具よりも下方側が下方に向けて開放されていることを特徴とする芝生育成用照明装置。
【請求項２】
前記メインフレームの前端部は、前記一対の前脚フレームよりも前方に突出した状態に配置されるとともに、
前記メインフレームの後端部は、前記一対の後脚フレームよりも後方に突出した状態に配置され、
前記メインフレームの前端部および後端部に前記灯具が装着されている請求項１に記載の芝生育成用照明装置。
【請求項３】
前記一対の前脚フレームの上端部間が連結部によって連結されるとともに、その連結部が前記メインフレームの上面側に取り付けられ、
前記一対の後脚フレームの上端部間が連結部によって連結されるとともに、その連結部が前記メインフレームの上面側に取り付けられている請求項１または２に記載の芝生育成用照明装置。
【請求項４】
前記一対の前脚フレームの上端部間が連結部によって連結されるとともに、その連結部が前記メインフレームの下面側に取り付けられ、
前記一対の後脚フレームの上端部間が連結部によって連結されるとともに、その連結部が前記メインフレームの下面側に取り付けられている請求項１または２に記載の芝生育成用照明装置。
【請求項５】
前記一対の前脚フレームの連結部が、前記メインフレームに垂直軸回りに回転自在に取り付けられている請求項３または４に記載の芝生育成用照明装置。
【請求項６】
前記一対の前脚フレームおよびその連結部は、逆Ｕ字状〜アーチ状の前脚フレーム部材によって構成されるとともに、
前記一対の後脚フレームおよびその連結部は、逆Ｕ字状〜アーチ状の後脚フレーム部材によって構成されている請求項３〜５のいずれか１項に記載の芝生育成用照明装置。
【発明の詳細な説明】
【技術分野】
【０００１】
この発明は、天然芝等の植生面に人工的な照明光等を照射して芝生の育成を促すようにした芝生育成用照明装置に関する。
【背景技術】
【０００２】
サッカースタジアム、野球場、陸上競技場、ラクビー競技場、テニス競技場、ゴルフ場等の施設においてグランドに植設される天然芝は基本的に、自然光（太陽光）で養生して育成するのが通例である。しかしながら、建造物の壁部や屋根等、施設の設置状況等によっては、自然光が短時間しか当たらなかったり、ほとんど当たらない場合がある。さらに競技中に芝生が傷んだり、剥れてしまう場合もある。そのため、自然光だけでは芝生の育成が追い付かないことがあり、そのような場合、芝生を張り替えるとなると、膨大な費用や期間が必要となり、芝生を維持管理するに際して負担が大きくなってしまう。
【０００３】
そこで近年においては、自然光だけに頼らず、人工光を利用して芝生の育成を促す工法が採用されることがある。
【０００４】
芝生の育成に用いられる従来の芝生育成用照明装置は、人工光を照射する灯具が設置された架台を備えており、使用時には、グランド上の所定領域に複数台並べて配置した状態で、各芝生育成用照明装置の灯具から芝生に照明光（人工光）を照射するようにしている。このような芝生育成用照明装置は不使用時には、収納庫等に搬入して保管しておくものであり、少なくともグランドと収納庫との間を移動させる必要があるため、移動用にキャスター等が設けられるのが一般的である。
【０００５】
例えば下記特許文献１に示す従来の芝生育成用照明装置は、上部に灯具が設置された架台と、その架台の前部下端に設けられた左右一対の前キャスターと、架台の後部下端に設けられた左右一対の後キャスターとを備えている。そして使用時には、収納庫から搬出した芝生育成用照明装置を、トラクター等の車両で牽引してグランド上の所定領域まで搬送する一方、使用後は、トラクター等で牽引して収納庫付近まで搬送して収納庫に収納して保管するようにしている。
【先行技術文献】
【特許文献】
【０００６】
【特許文献１】特開２０１７−１４００２１号
【発明の概要】
【発明が解決しようとする課題】
【０００７】
しかしながら、従来の芝生育成用照明装置は、架台の下部において例えば、一対の前キャスター間および一対の後キャスター間等に、フレーム等の遮光部位が配置されている。このため灯具から照射された照明光のうち一部の光がフレーム等の遮光部位に遮られて、芝生植生面に到達しないため、芝生植生面に効率良く照明光を照射することができないという課題があった。
【０００８】
この発明は、上記の課題に鑑みてなされたものであり、芝生植生面に効率良く照明光を照射することができる芝生育成用照明装置を提供することを目的とする。
【課題を解決するための手段】
【０００９】
上記課題を解決するため、本発明は、以下の手段を備えるものである。
【００１０】
［１］前後方向に沿って配置され、かつ下向きに灯具が装着されたメインフレームと、
上端が前記メインフレームの前部に取り付けられ、かつ下端に前キャスターが設けられた左右一対の前脚フレームと、
上端が前記メインフレームの後部に取り付けられ、かつ下端に後キャスターが設けられた左右一対の後脚フレームとを備え、
前記一対の前脚フレーム間および前記一対の後脚フレーム間における前記灯具よりも下方側が下方に向けて開放されていることを特徴とする芝生育成用照明装置。
【００１１】
［２］前記メインフレームの前端部は、前記一対の前脚フレームよりも前方に突出した状態に配置されるとともに、
前記メインフレームの後端部は、前記一対の後脚フレームよりも後方に突出した状態に配置され、
前記メインフレームの前端部および後端部に前記灯具が装着されている前項１に記載の芝生育成用照明装置。
【００１２】
［３］前記一対の前脚フレームの上端部間が連結部によって連結されるとともに、その連結部が前記メインフレームの上面側に取り付けられ、
前記一対の後脚フレームの上端部間が連結部によって連結されるとともに、その連結部が前記メインフレームの上面側に取り付けられている前項１または２に記載の芝生育成用照明装置。
【００１３】
［４］前記一対の前脚フレームの上端部間が連結部によって連結されるとともに、その連結部が前記メインフレームの下面側に取り付けられ、
前記一対の後脚フレームの上端部間が連結部によって連結されるとともに、その連結部が前記メインフレームの下面側に取り付けられている前項１または２に記載の芝生育成用照明装置。
【００１４】
［５］前記一対の前脚フレームの連結部が、前記メインフレームに垂直軸回りに回転自在に取り付けられている前項３または４に記載の芝生育成用照明装置。
【００１５】
［６］前記一対の前脚フレームおよびその連結部は、逆Ｕ字状〜アーチ状の前脚フレーム部材によって構成されるとともに、
前記一対の後脚フレームおよびその連結部は、逆Ｕ字状〜アーチ状の後脚フレーム部材によって構成されている前項３〜５のいずれか１項に記載の芝生育成用照明装置。
【発明の効果】
【００１６】
発明［１］の芝生育成用照明装置によれば、一対の前脚フレーム間および一対の後脚フレーム間における灯具よりも下側が下向きに開放されているため、灯具から照射される照明光は一対の前脚フレーム間および一対の後脚フレーム間において遮られることなく多くの照明光が芝生植生面に到達するので、照明光によって芝生植生面を効率良く照射することができる。
【００１７】
なお本発明では、灯具よりも下方側において、一対の前脚フレーム間および一対の後脚フレーム間の全域が開放されている必要はなく、少なくとも一部が開放されていれば良く、例えば前脚フレームの内側や後脚フレームの内側に小さい突起物等が設けられていても良い。もっとも本発明においては、一対の前脚フレーム間および一対の後脚フレーム間における灯具の下方側のほぼ全域が開放されているのが望ましい。
【００１８】
発明［２］の芝生育成用照明装置によれば、前後に突出するメインフレームの前端部および後端部にも灯具を配置しているため、より多くの照明光を一対の脚フレーム間で遮られることなく芝生植生面に照射することができ、芝生の育成効果をより一層向上させることができる。
【００１９】
発明［３］の芝生育成用照明装置によれば、一対の前脚フレームの連結部および一対の後脚フレームの連結部がメインフレームの上面側に取り付けられているため、連結部がメインフレームの灯具に干渉することがない。従って一対の前脚フレームおよび後脚フレームを、灯具の取付位置にかかわらず、どのような位置にも取り付けることができるため、設計の自由度が増し、芝生育成用照明装置自体の製作を簡単に行うことができる。
【００２０】
発明［４］の芝生育成用照明装置によれば、一対の前脚フレームの連結部および一対の後脚フレームの連結部がメインフレームの下面側に取り付けられているため、重心位置が低くなり、芝生育成用照明装置の安定性が増す。従って牽引時等の操作性を向上できるとともに、突風等によっても位置ずれしたり転倒しまうような不具合を確実に防止することができる。
【００２１】
発明［５］の芝生育成用照明装置によれば、一対の前脚フレームの連結部をメインフレームに回転自在に取り付けているため、前キャスターの方向転換をスムーズに行えて、牽引時の操作性をより一層向上させることができる。
【００２２】
発明［６］の芝生育成用照明装置によれば、前脚フレーム部材および後脚フレーム部材を逆Ｕ字状〜アーチ状に形成しているため、芝生植生面をシート等で覆いつつ育成するような場合には、前脚フレーム部材および後脚フレーム部材にシートを簡単に取り付けることができる。
【図面の簡単な説明】
【００２３】
【図１】図１はこの発明の第１実施形態である芝生育成用照明装置を示す側面図である。
【図２】図２は第１実施形態の芝生育成用照明装置を示す平面図である。
【図３】図３は第１実施形態の芝生育成用照明装置を示す正面図である。
【図４】図４は第１実施形態の芝生育成用照明装置を示す背面図である。
【図５】図５はこの発明の第２実施形態である芝生育成用照明装置を示す側面図である。
【図６】図６は第２実施形態の芝生育成用照明装置を示す平面図である。
【図７】図７は第２実施形態の芝生育成用照明装置を示す正面図である。
【図８】図８は第２実施形態の芝生育成用照明装置を示す背面図である。
【発明を実施するための形態】
【００２４】
＜第１実施形態＞
図１はこの発明の第１実施形態である芝生育成用照明装置を示す側面図、図２は平面図、図３は正面図、図４は背面図である。なお以下の説明においては、発明の理解を容易にするため、図１の紙面に向かって右側を「前方（正面側）」、左側を「後方（背面側）」、上方を「上方」、下方を「下方」として説明し、図２に示す紙面に向かって上下方向を「左右方向（両側方向）」として説明する。
【００２５】
これらの図に示すように本第１実施形態の芝生育成用照明装置は、所定の高さ位置において前後方向に沿って水平に配置されたメインフレーム１と、メインフレーム１の前部および後部に設けられた門型の前脚フレーム部材２および門型の後脚フレーム部材３とを基本的な構成要素として備えている。
【００２６】
メインフレーム１における下面側には、複数の灯具１１が前後方向に並んで取り付けられている。本実施形態において各灯具１１は、ＬＥＤを光源とするＬＥＤ灯具によって構成されており、各灯具１１から照明光（人工光）が下側に向けて照射されるように構成されている。なお図示は省略するが、本実施形態の芝生育成用照明装置には、各灯具１１に電力を供給するための電源盤が取り付けられている。
【００２７】
前脚フレーム部材２は、正面視において逆Ｕ字状（アーチ状）の門型に形成されており、左右一対の前脚フレーム２１と、一対の前脚フレーム２１の上端部間を連結する連結部２２とを一体に備えている。
【００２８】
本実施形態の前脚フレーム部材２における連結部２２は、部材同士が接触し合う接触面（接合面）を意味するではなく、前脚フレーム部材２の中間部に位置する部位を意味する。例えば本発明においては、一対の前脚フレーム２１の上端部間は直接取り付けられているのではなく、一対の前脚フレーム２１の上端間は連結部２２を介して間接的に取り付けられていると捉えることができる。
【００２９】
さらに本実施形態においては、既述した通り前脚フレーム部材２は、一対の前脚フレーム２１と連結部２２とを構成要素として含むものであるが、その構成要素の数と、実際の部品点数とは無関係である。前脚フレーム部材２は例えば、１本のパイプ状〜棒状の部材を曲げ加工して作製したり、必要に応じて曲げ加工された複数本のパイプ状〜棒状の部材を連結することによって作製することができる。さらに２本のパイプ状〜棒状部材の上端部同士を溶接等で接合固定して逆Ｕ字状等の前脚フレーム部材２を作製する場合には、その接合部の周辺が連結部２２を構成し、その両側が前脚フレーム２１を構成することとなる。
【００３０】
また前脚フレーム部材２における一対の前脚フレーム２１の各下端には、エンドプレート２３がそれぞれ取り付けられており、各エンドプレート２３には、前キャスター２５がそれぞれ取り付けられている。
【００３１】
前キャスター２５は、固定キャスターによって構成されており、上端がエンドプレート２３に回転しない状態に固定されたフォーク２６と、そのフォーク２６の両側片間に回転自在に取り付けられた車輪２７とを備えている。
【００３２】
以上のように構成された前脚フレーム部材２の連結部２２が、メインフレーム１の前部上面にスラストベアリング等のベアリング１２を介して垂直軸回りに回転自在に取り付けられている。この構成においては、前脚フレーム部材２を垂直軸回りに回転操作することにより、前キャスター２５（車輪２７）の向きを自在に変更できて、牽引時等に方向転換をスムーズに行えるように構成されている。
【００３３】
なお本実施形態においては、メインフレーム１の前端部は、前脚フレーム部材２よりも前方に突出するように配置されており、その前端部においても灯具１１が取り付けられている。つまり灯具１１は前脚フレーム部材２の前方にも配置されている。
【００３４】
この第１実施形態においては、前脚フレーム部材２における一対の前脚フレーム２１間には、後述するように灯具点灯時において光を遮るような部位（遮光部位）が実質的に存在せず、一対の前脚フレーム２１間は下方に向けて開放されている。
【００３５】
前脚フレーム部材２における一対の前脚フレーム２１にはブレーキ装置４が設けられている。このブレーキ装置４は、一対の前脚フレーム２１おける各エンドプレート２３にブラケット４３を介して取り付けられるブレーキレバー４１を備えている。このブレーキレバー４１は、その中間部がブラケット４３の前端部に回転自在に取り付けられており、ブレーキレバー４１をその上端部を前方に倒すように回転操作すると、ブレーキレバー４１の下端部が車輪２７に当接して制動力が発生する一方、ブレーキレバー４１を後方に起こすように回転操作すると、ブレーキレバー４１の下端部が車輪２７から離間して制動力が解除されるようになっている。なお本実施形態において、ブレーキ装置４には、引張コイルばね４４等の付勢手段が設けられており、この付勢手段の付勢力によって通常状態では、ブレーキレバー４１が後方に回転して起立した状態となっており、制動力が作用しない状態に保持されている。
【００３６】
また第１実施形態においては、ブレーキレバー４１は左右両側の車輪２７に対しそれぞれ設けられており、左右両側のブレーキレバー４１の上端部間が図２および図３の想像線に示すように連結レバー４２によって連結されている。従って連結バー４２の上下方向（前後方向）の回転操作によって、左右の両ブレーキレバー４１を連動させて回転させることができ、左右の両車輪２７に対し制動操作等を同時に行えるようになっている。
【００３７】
なお本第１実施形態においては、ブレーキ装置４の連結バー４２は、左右両側のブレーキレバー４１に対し着脱自在に取り付けられており、灯具点灯時等には取り外しておくことにより、連結バー４２が遮光部位とならないように構成されている。つまり一対の前脚フレーム２１間は、下向きに実質的に開放可能な状態となっている。
【００３８】
また一対の前脚フレーム２１の中間部前面には、把手４５が取り付けられており、作業者はこの把手４５を介して芝生育成用照明装置の牽引操作をスムーズに行えるように構成されている。
【００３９】
一方、後脚フレーム部材３は、逆Ｕ字状（アーチ状）の門型に形成されており、左右一対の後脚フレーム３１と、一対の後脚フレーム３１の上端部間を連結する連結部３２とを一体に備えている。
【００４０】
本実施形態の後脚フレーム部材３における連結部３は、上記前脚フレーム部材２と同様、部材同士が接触し合う接触面（接合面）を意味するではなく、後脚フレーム部材３の中間部に位置する部位を意味する。例えば本発明においては、一対の後脚フレーム３１の上端部間は直接取り付けられているのではなく、一対の後脚フレーム３１の上端間は連結部３２を介して間接的に取り付けられていると捉えることができる。
【００４１】
さらに本実施形態においては、既述した通り後脚フレーム部材３は、一対の後脚フレーム３１と連結部３２とを構成要素として含むものであるが、その構成要素の数と、実際の部品点数とは無関係である。従って本実施形態において、後脚フレーム部材３は上記前脚フレーム部材２と同様に、１本のパイプ状〜棒状の部材を曲げ加工して作製したり、必要に応じて曲げ加工された複数本のパイプ状〜棒状の部材を連結することによって作製することができる。さらに２本のパイプ状〜棒状部材の上端部同士を溶接等で接合固定して逆Ｕ字状等の後脚フレーム部材３を作製する場合においても上記と同様、その接合部の周辺が連結部３２を構成し、その両側が前脚フレーム３１を構成することとなる。
【００４２】
また一対の後脚フレーム３１の下端には、エンドプレート３３がそれぞれ取り付けられており、各エンドプレート２３には、後キャスター３５がそれぞれ取り付けられている。
【００４３】
後キャスター３５も、上記前キャスター２５と同様、固定キャスターによって構成されており、上端がエンドプレート２３に固定されたフォーク３６と、そのフォーク３６に回転自在に取り付けられた車輪３７とを備えている。
【００４４】
この構成の後脚フレーム部材３の連結部３２が、メインフレーム１の後部上面に固定されている。本実施形態においてこの後脚フレーム部材３は、前脚フレーム部材２とは異なり、メインフレーム１に対し回転できないようになっている。
【００４５】
なお本実施形態においては、メインフレーム１の後端部は、後脚フレーム部材３よりも後方に突出するように配置されており、この後端部においても灯具１１が取り付けられている。つまり灯具１１は後脚フレーム部材３の後方にも配置されている。
【００４６】
また本第１実施形態において、後脚フレーム部材３における一対の後脚フレーム３１間には、遮光部位が実質的に存在せず、一対の後脚フレーム３１間は下方に向けて開放されている。
【００４７】
なお後脚フレーム部材３における一対の後脚フレーム３１間には、その間に架け渡されるように補強バー３８（図４参照）が着脱自在に取り付けられている。この補強バー３８は、芝生育成用照明装置の牽引時（走行時）等に左右両側の後キャスター３５における互いの相対的な位置ずれ等を防止することにより、安定した状態で走行できるようにするものである。この補強バー３８は、灯具点灯時等には取り外しておくことにより、補強バー３８が遮光部材となることはなく、一対の後脚フレーム３１間は、下向きに実質的に開放可能な状態となっている。
【００４８】
また第１実施形態の芝生育成用照明装置においては、複数の灯具１１が配置される前後方向の範囲内において、一対の前脚フレーム２１間と一対の後脚フレーム３１間とに対応する領域、換言すると灯具１１よりも下方側の領域のうち、前脚フレーム２１、前キャスター２５、後脚フレーム３１および後キャスター３５を除いたほぼ全ての領域は、その領域内に遮光部位が実質的に存在せず、下方に向けて開放された開放領域１０として形成されている。
【００４９】
以上のように構成された第１実施形態の芝生育成用照明装置において、トラクター等の車両や作業者の人力で把手４５を介して牽引すれば、キャスター２５，３５が回転して牽引方向に沿って走行移動させることができる。
【００５０】
また第１実施形態の芝生育成用照明装置を用いて天然芝を養生する場合には、芝生育成用照明装置を、養生しようとする芝生植生面Ｇに対応する位置に配置する。そして前脚フレーム部材２の連結バー４２と、後脚フレーム部材３の補強バー３８を取り外した状態で、灯具１１を点灯させて、その照明光（人工光）を芝生植生面Ｇに照射する。これにより人工光によって芝生を育成することができる。
【００５１】
ここで本第１実施形態の芝生育成用照明装置においては、一対の前脚フレーム２１間および一対の後脚フレーム３１間は、その間に遮光部位が存在せず下方に向けて開放されているため、灯具１１から照射される照明光は、前脚フレーム２１間および後脚フレーム３１間において途中で遮られることなく、芝生植生面Ｇに確実に到達する。特に本実施形態の芝生育成用照明装置においては、灯具１１の下方側のほぼ全域を、下方に向けて開放された開放領域１０として形成しているため、灯具１１から照射される多くの照明光が、芝生植生面Ｇに到達する。このように本実施形態の芝生育成用照明装置においては、照明光を効率良く芝生植生面Ｇに照射することができ、芝生育成効果を確実に向上させることができる。
【００５２】
さらに本実施形態の芝生育成用照明装置においては、一対の前脚フレーム２１および一対の後脚フレーム３１に対しメインフレーム１の前端部および後端部が前後に突出するように配置されるとともに、その前端部および後端部にも灯具１１が装着されているため、より多くの照明光を脚フレーム２１，３１間で遮られることなく芝生植生面Ｇに照射することができ、芝生育成効果をより確実に向上させることができる。
【００５３】
また本第１実施形態の芝生育成用照明装置においては、前脚フレーム部材２および後脚フレーム部材３の連結部２２，３２をメインフレーム１の上側に取り付けているため、前脚フレーム部材２および後脚フレーム部材３が、メインフレーム下側の灯具１１に干渉することがない。つまり脚フレーム部材２，３は、灯具１１の取付位置にかかわらず、メインフレーム１のどのような位置にも取り付けることができるため、設計の自由度が増し、照明装置自体の製作を簡単に行うことができる。
【００５４】
＜第２実施形態＞
図５はこの発明の第２実施形態である芝生育成用照明装置を示す側面図、図６は平面図、図７は正面図、図８は背面図である。
【００５５】
これらの図に示すように本第２実施形態の芝生育成用照明装置においては、前脚フレーム部材２の連結部２２がメインフレーム１に対し下側に配置された状態でメインフレーム１にスラストベアリング等のベアリング１２を介して垂直軸回りに回転自在に取り付けられている。さらに後脚フレーム部材３の連結部３２がメインフレーム１に対し下側に配置された状態でメインフレーム１に固定されている。
【００５６】
またこの第２実施形態の芝生育成用照明装置においては、メインフレーム１の前端位置、中間位置および後端位置に反射シート取付用の支柱フレーム部材５が設けられている。この支柱フレーム部材５は、下向きコ字状の門型に形成されており、左右一対の支柱フレーム５１と、一対の支柱フレーム５１の上端部間を連結する連結部５２とを一体に備えている。本実施形態においてこの支柱フレーム部材５は例えば、１本のパイプ状〜棒状の部材を曲げ加工して作製したり、必要に応じて曲げ加工された複数本のパイプ状〜棒状の部材を連結することによって作製することができる。
【００５７】
この支柱フレーム部材５の連結部５２がメインフレーム１の上側に配置された状態でメインフレーム１に着脱自在に取り付けられている。さらに一対の支柱フレーム５１の下端には差込ピン５５が設けられており、この差込ピン５５を芝生植生面Ｇに差し込むことによって、支柱フレーム５１の芝生植生面Ｇに対する位置を固定できるよう構成されている。なお支柱フレーム部材５のメインフレーム１に対する取付手段は、特に限定されるものではなくどのような手段で取り付けても良い。
【００５８】
また本実施形態において支柱フレーム部材５の左右一対の支柱フレーム５１の外面側には、樹脂シート等によって構成される反射シート６が着脱自在に取り付けられている。反射シート６は前後方向に長い帯状に形成されており、前端位置の支柱フレーム５１から後端位置の支柱フレーム５１まで連続して配置されている。
【００５９】
さらに本実施形態において反射シート６は、支柱フレーム５１における高さ方向の上部および下部を除いた中間部に配置されており、反射シート６の上方および下方は側方に開放されて、通気口６１として機能するようになっている。
【００６０】
なお反射シート６の支柱フレーム部材５に対する取付手段は、特に限定されるものではなくどのような手段で取り付けても良い。
【００６１】
この第２実施形態の芝生育成用照明装置において、他の構成は上記第１実施形態と実質的に同一であるため、同一または相当部分に同一符号を付して重複説明は省略する。
【００６２】
なお本第２実施形態に採用されている反射シート６は、上記第１実施形態においても同様に採用することができる。
【００６３】
以上のように構成された本第２実施形態の芝生育成用照明装置においても、上記第１実施形態と同様、灯具１１の下方側のほぼ全域が、下方に向けて開放された開放領域１０として形成されているため、灯具１１から照射される多くの照明光が、芝生植生面Ｇに到達する。このため照明光を効率良く芝生植生面Ｇに照射することができ、芝生育成効果を確実に向上させることができる。
【００６４】
その上さらに本第２実施形態の芝生育成用照明装置においては、支柱フレーム部材５を介して照明装置の側方を覆うように反射シート６が着脱自在に取り付けられるため、灯具１１から照射される照明光のうち、照明装置の側方に漏れ出してしまうような照明光を、反射シート６に反射させて灯具直下の所望の芝生植生面Ｇに照射することができ、芝生の育成効果をより一層向上させることができる。すなわち、照明装置側方に漏れ出す照明光は光強度が弱く芝生の育成にはほとんど寄与せず、エネルギーロスとなってしまうが、本実施形態においては、照明装置側方に漏れ出す照明光も反射シート６によって反射させて目標の芝生植生面Ｇに照射することができる。このため、光エネルギーを損失させずに灯具１１から照射されるほとんどの照明光を目標の芝生植生面Ｇに照射できるため、光の有効活用を図ることができ、より一層芝生を効率良く育成できて、芝生育成効果をより一層確実に向上させることができる。
【００６５】
また本実施形態の芝生育成用照明装置においては、反射シート６の上方および下方に通気口６１を形成しているため、突風や強風等が発生したとしても、風が通気口６１を通過することによって、風圧等による照明装置への悪影響が軽減され、例えば風圧により照明装置が位置ずれしたり、転倒してしまう等の不具合を確実に防止することができる。
【００６６】
もっとも本発明においては、反射シート６等のカバーによって、照明装置の側方全域を覆ったり、上方全域を覆ったり、あるいは側方全域および上方全域を全て覆うようにしても良い。例えば反射シート６等によって側方全域を覆う場合には、反射によって、より一層効率良く照明光を集中させることができ、芝生育成効果をさらに向上させることができる。またシートによって上方全域を覆う場合には、そのシートが雨よけとなり、雨天時等でも支障無く芝生の養生を行うことができる。またシートによって側方および上方全域を覆う場合には、シート内から外部への放熱を抑制でき、熱を利用した芝生育成等も効果的に行うことができる。
【００６７】
また本第２実施形態の芝生育成用照明装置においては、前脚フレーム部材２および後脚フレーム部材３の連結部２２，３２をメインフレーム１の下側に配置しているため、脚フレーム部材２，３によってメインフレーム１を下側から支持するような構造となる。このため本第２実施形態の芝生育成用照明装置においては、上記第１実施形態のように、脚フレーム部材２，３をメインフレーム１の上側に配置して、脚フレーム部材２，３によってメインフレーム１を吊持するような構造と比較して、構造の簡素化を図ることができ、小型軽量化を図ることができる。
【００６８】
さらに本実施形態の芝生育成用照明装置においては、脚フレーム部材２，３をメインフレーム１の下側に配置しているため、重心位置が低くなり、照明装置の安定性が増して、前脚フレーム部材２の回転操作や、牽引時等の操作性を向上させることができるとともに、突風等によっても位置ずれしたり倒れてしまうような不具合が生じるのを確実に防止することができる。
【００６９】
なお上記実施形態においては、前脚フレーム部材２および後脚フレーム部材３として逆Ｕ字状に形成されたものを用いているが、それだけに限られず、本発明においては、下向きコ字状や、山型（逆Ｖ字状）の前脚フレーム部材および後脚フレーム部材等、他の形状のフレーム部材を用いるようにしても良い。要は一対の前脚フレーム間および一対の後脚フレーム間が下方に開放されていれば、前脚フレーム部材および後脚フレーム部材の形状はどのような形状であっても良い。
【００７０】
また本発明において、前脚フレーム部材と後脚フレーム部材とは、既述した通り、それぞれ１つの部材によって形成されていても良いし、複数の部材を組み合わせて形成するようにしても良い。さらに複数の部材を組み合わせて形成する場合には、組み合わせ位置（連結位置）はどの位置に設定しても良い。
【００７１】
また上記実施形態においては、前脚フレーム部材２をメインフレーム１に対し回転自在に取り付けて、前脚フレーム部材２を回転操作することによって、牽引方向を調整するようにしているが、それだけに限られず、本発明においては、前脚フレーム部材をメインフレームに回転できない状態に固定するようにしても良い。この場合には、前脚フレーム部材（前脚フレーム）に取り付けられる前キャスターとして、垂直軸回りに旋回自在な自在キャスターを採用することにより、そのキャスターの旋回動作によって、牽引操作をスムーズに行うことができる。
【００７２】
また上記実施形態においては、後脚フレーム部材３をメインフレーム１に対し回転できない状態に固定しているが、それだけに限られず、本発明においては、後脚フレーム部材をメインフレームに垂直軸回りに回転自在に取り付けても良いし、後脚フレーム部材に取り付けられる後キャスターを、旋回自在な自在キャスターによって構成するようにしても良い。
【００７３】
また上記第２実施形態においては、反射シート６を支柱フレーム部材５を介してメインフレーム１に取り付けるようにしているが、本発明において反射シートの取付手段は特に限定されるものではなく、反射シート等を一対の前脚フレームや後脚フレームに直接取り付けるようにしても良い。特に本発明において、シート等を前脚シート部材２および後脚シート部材３に直接取り付けて、そのシートによって芝生植生面Ｇの側方および上方全域を覆う場合には、上記実施形態のように、前脚シート部材２および後脚シート部材３を逆Ｕ字状〜アーチ状に形成することによって、シートの装着を簡単に行うことができる。
【００７４】
また上記実施形態においては、一対の後脚フレーム３１間に補強バー３８を着脱自在に取り付けるようにしているが、それだけに限られず、本発明においては、一対の前脚フレーム２１間にも補強バーを着脱自在に取り付けるようにしても良い。
【産業上の利用可能性】
【００７５】
この発明の芝生育成用照明装置は、天然芝等の植生面に人工的な照明光等を照射して芝生の育成を促す際に好適に用いることができる。
【符号の説明】
【００７６】
１：メインフレーム
１１：灯具
２：前脚フレーム部材
２１：前脚フレーム
２２：連結部
２５：前キャスター
３：後脚フレーム部材
３１：後脚フレーム
３２：連結部
３５：後キャスター
６：反射シート
【図１】
2019103438.tif 000003
【図２】
2019103438.tif 000004
【図３】
2019103438.tif 000005
【図４】
2019103438.tif 000006
【図５】
2019103438.tif 000007
【図６】
2019103438.tif 000008
【図７】
2019103438.tif 000009
【図８】
2019103438.tif 000010